(57)【要約】【課題】  扉の開閉検知装置のスイッチ部への水の侵入を防止するようにした食器洗浄機およびその扉の開閉検知装置を得る。【解決手段】  洗浄槽２の開口部３を開閉する扉体（上扉４、下扉５）と、扉体のロック手段３１と、このロック手段のロック動作に関連して扉体の開閉状態を検知する扉開閉検知手段とを備え、扉開閉検知手段が、スイッチ手段を配置する空間３４とロック爪７が挿入する空間３５とを区画する隔壁３６と、この隔壁に設けられた突起挿入口３７と、この突起挿入口に挿入される突起３８を有しロック爪により押されるレバー４０とを備え、扉体の閉鎖時、ロック爪により押されたレバーの突起が隔壁の突起挿入口を通してスイッチ手段を作動させる構成とする。【選択図】        図８
2006263174.tif 000002
【特許請求の範囲】
【請求項１】
洗浄槽の開口部を開閉する扉体と、扉体のロック手段と、このロック手段のロック動作に関連して前記扉体の開閉状態を検知する扉開閉検知手段とを備え、
前記扉開閉検知手段が、スイッチ手段を配置する空間とロック爪が挿入する空間とを区画する隔壁と、この隔壁に設けられた突起挿入口と、この突起挿入口に挿入される突起を有し前記ロック爪により押されるレバーとを備え、扉体の閉鎖時、前記ロック爪により押された前記レバーの突起が前記隔壁の突起挿入口を通して前記スイッチ手段を作動させることを特徴とする食器洗浄機。
【請求項２】
前記扉開閉検知手段は、前記洗浄槽の側面に取り付けられる本体ケースを有し、この本体ケースの中に、前記スイッチ手段、前記２つの空間を区画する隔壁、一端部が回転自在に枢着された前記レバー、および前記ロック爪が係合する係合部を具備することを特徴とする請求項１記載の食器洗浄機。
【請求項３】
前記隔壁の突起挿入口は、前記レバーの幅よりも小さく形成されていることを特徴とする請求項１または２記載の食器洗浄機。
【請求項４】
前記扉体は上扉と下扉からなり、この下扉に前記ロック爪を設けるとともに、前記下扉の開閉動作に連動して前記上扉を開閉させる連動開閉機構を設けたことを特徴とする請求項１乃至３のいずれかに記載の食器洗浄機。
【請求項５】
前記隔壁と前記レバーとの間にレバーを押し戻す弾性部材が設けられていることを特徴とする請求項１乃至４のいずれかに記載の食器洗浄機。
【請求項６】
物体に開閉自在に設けられた蓋体または扉体のロック手段と、このロック手段のロック動作に関連して動作するスイッチ手段とを有する扉開閉検知手段であって、前記スイッチ手段を配置する空間とロック爪が挿入する空間とを区画する隔壁と、この隔壁に設けられた突起挿入口と、この突起挿入口に挿入されて前記スイッチ手段を作動する突起を有し前記ロック爪により押されるレバーとを備えたことを特徴とする扉の開閉検知装置。
【発明の詳細な説明】
【技術分野】
【０００１】
本発明は、食器洗浄機に関し、特に、食器洗浄機における扉の開閉検知装置に関する。
【背景技術】
【０００２】
食器洗浄機（あるいは食器洗浄乾燥機）は、汚れた食器類を食器かご内に入れ、これを食器洗い機本体の洗浄槽内にセットし、洗浄水をノズルから噴射することにより汚れた食器類を洗浄するものである。したがって、洗浄中は、洗浄槽の開口部は扉体で固く閉じられており、扉側に設けられたロック爪が洗浄槽側に設けられたロック爪挿入口に挿入されて係合部に係止しロックされるようになっている。そして、このロック部には一般に扉体の開閉状態を検知する検出スイッチが設けられている（例えば、特許文献１参照）。
【０００３】
【特許文献１】特開２００１−７０２１８号公報（第４、５頁、図３、図１２）
【発明の開示】
【発明が解決しようとする課題】
【０００４】
しかしながら、従来の食器洗浄機は、扉側に設けられたロック爪が洗浄側の検出スイッチのアクチュエータに直接接触する構成となっており、検出スイッチは前方に開口するロック爪挿入口に連通する空間内に配置されているため、食器類を洗浄槽に入れる際などに、食器や手などに付いた水がふりかかってロック爪挿入口を通じて内部空間に侵入しスイッチ部に水をかけてしまうことがあった。そのため、スイッチ部を濡らしてしまい誤検知を起こすことがあった。
【０００５】
本発明は、上記のような課題を解決するためになされたもので、扉の開閉検知装置のスイッチ部への水の侵入を防止するようにした食器洗浄機およびその扉の開閉検知装置を得ることを目的とする。
【課題を解決するための手段】
【０００６】
本発明に係る食器洗浄機は、洗浄槽の開口部を開閉する扉体と、扉体のロック手段と、このロック手段のロック動作に関連して前記扉体の開閉状態を検知する扉開閉検知手段とを備え、前記扉開閉検知手段が、スイッチ手段を配置する空間とロック爪が挿入する空間とを区画する隔壁と、この隔壁に設けられた突起挿入口と、この突起挿入口に挿入される突起を有し前記ロック爪により押されるレバーとを備え、扉体の閉鎖時、前記ロック爪により押された前記レバーの突起が前記隔壁の突起挿入口を通して前記スイッチ手段を作動させることを特徴としている。
【発明の効果】
【０００７】
本発明によれば、扉開放時に、たとえ食器や手に付いた水がロック爪挿入口から扉開閉検知装置の本体内部に侵入しても隔壁により遮られるため、スイッチ手段が配置される空間まで水が入ることはない。したがって、スイッチ手段の誤検知がなくなり、扉開閉検知装置の信頼性が向上する。
という効果を有する。
【発明を実施するための最良の形態】
【０００８】
以下、本発明の実施の形態を図面に基づいて説明する。
【０００９】
実施の形態１．
図１は本発明の実施の形態１を示す食器洗浄機の扉閉鎖状態の外観斜視図、図２は扉開放状態の外観斜視図、図３は食器洗浄機の右側面図である。
【００１０】
図１ないし図３において、この食器洗浄機の本体（食器洗浄機本体）１は、内部に食器類を洗浄するための洗浄槽２を有する。食器類は図示しない食器かごに収納されて、その食器かごを洗浄槽２の前面側に開口する開口部３から出し入れするようになっている。
洗浄槽２の開口部３は、複数の扉体、すなわちこの例では上扉４と下扉５によって閉鎖および開放状態にされる。このように扉体を複数個に分割することにより、各扉体の開閉動作の範囲を小さくすることができるので、狭いスペースでも食器洗浄機の設置が可能となる。
【００１１】
洗浄槽２の開口部３は、一般に、正面からみて四角形状に形成され、側面からみて開口面の上方部分がやや後方に傾斜した滑らかな曲面形状に開口面が形成されている。この開口部３の周囲の各辺にはゴム材料からなるシール部材が装着され、また上扉４と下扉５の合わせ部にもシール部材が装着され、扉閉鎖時の水密性が保たれている。
【００１２】
上扉４は、下扉５に比べて縦方向の長さが多少小さく形成され、後述する連動手段によって上方へ回転して開くようになっている。この上扉４の開閉軌道については後で詳しく説明する。下扉５は、正面の手前側にほぼ９０゜回転して開くようになっている。
【００１３】
下扉５には扉のロックを解除するための扉ロック解除ボタン６が設けられており、下扉５の左右両側には扉ロック解除ボタン６を押すことによってロックを解除する方向に動作するロック爪７（ロック手段の一例）が設けられている。このロック爪７は対応する洗浄槽２の前面の両側に設けられたロック爪挿入口８に挿入し、内部の係合部（ロック手段の一例）に係合して扉をロックするようになっている。また、ロック爪挿入口８の内部には本発明の要部である扉開閉検知装置３０が設けられている。この扉開閉検知装置およびロック装置については後で詳しく説明する。
【００１４】
次に、連動手段を有する扉の連動開閉機構について詳細に説明する。なお、連動開閉機構は洗浄槽２の左右両側面にそれぞれ設けられているが、同一の構成であるので、ここでは右側について示す。
図４は食器洗浄機の外カバー９を取り外した状態を右側面からみた内部構造図で、（ａ）は扉閉鎖時、（ｂ）は扉開放時の状態を示している。図５は扉と連動開閉機構のみを取り出して示した動作説明図で、（ａ）は扉閉鎖時の動作説明図、（ｂ）は上扉および下扉の開放途中状態を示す動作説明図である。図６（ａ）〜（ｄ）は図４、図５に示される扉の連動開閉機構の動作を模式的にあらわした動作説明図である。
【００１５】
図４ないし図６に示すように、扉の連動開閉機構１０は、リンク機構により構成されており、上扉４と下扉５の連動手段として、第１のリンク１１および第２のリンク１２を備えている。
下扉５は、洗浄槽２の下部に回転支点１３（図５、図６参照）で回転自在に枢支されており、さらに下扉５と一体に下扉アーム１４が形成されている。この下扉アーム１４の先端部に上記第１のリンク１１の下端部が支点１５で回転自在に連結されている。第１のリンク１１の上端部には第２のリンク１２の先端部が支点１６で回転自在に連結され、第２のリンク１２の基端部は洗浄槽２の側面（あるいは洗浄槽の側面に取り付けられる取付板）に支点１７で回転自在に連結されている。そして、上扉４に一体に設けられた上扉支持アーム１８が第２のリンク１２に支点１９で回転自在に連結されている。なお、第２のリンク１２には扉開放時に上扉４が自重によりフリーに下降しないように規制するストッパ２０が設けられている。
【００１６】
また、図６において、２１は洗浄槽２の天井部（または食器洗浄機本体１の天板部）であり、洗浄槽天井部２１の前面、すなわち洗浄槽２の開口面２２（図５参照）の上辺部と、これに対面する上扉４の上辺部には、ラビリンス状に形成された凹状部２３と、これに嵌合する凸状部２４が設けられてシール部２５を構成している。凹状部２３および凸状部２４は、図示とは反対に上扉４側に凹状部２３を、洗浄槽２側に凸状部２４を設けてもよい。また、凹状部２３および凸状部２４は、少なくとも洗浄槽２と上扉４の各上辺部に設けることが好ましい。
【００１７】
次に、この実施の形態における扉開閉検知装置の構成について詳細に説明する。扉開閉検知装置についても洗浄槽２の両側面に同一の構成のものが取り付けられており、ここではその一方のみを示す。
図７は扉開閉検知装置の主な構成部品の分解斜視図および組立図で、同図の上段図（左側の図）は洗浄槽の右側面に取り付けられる取付面方向からみた分解斜視図、同図の下段図（右側の図）は上記の逆方向（外側方向）からみた分解斜視図である。図８は扉開閉検知装置の動作を示す説明図で、（ａ）はロック前、（ｂ）はロック時、（ｃ）は扉開閉検知装置の主要部品のみを取り出して示す動作説明図である。図９はさらにこの主要部品の動作を示す拡大図で、（ａ）はスイッチオフ時、（ｂ）はスイッチオン時、（ｃ）は両者の動作時を併記した図である。
【００１８】
図７ないし図９に示すように、この扉開閉検知装置３０は、扉のロック手段３１と、ロック手段３１のロック動作に関連して動作するスイッチ（例えば、マイクロスイッチ）３２とを有する構成となっている。扉開閉検知装置３０は、図２ないし図４に示すように、洗浄槽２の左右両側面に取り付けられ、外カバー９で覆われるようになっている。
【００１９】
扉開閉検知装置３０は洗浄槽２の側面にネジで取り付けられる本体ケース３３を有し、この本体ケース３３の中に、マイクロスイッチ３２が配置されるスイッチ配置空間３４と、ロック爪挿入口８に連通しロック爪７が挿入されるロック爪挿入空間３５と、両空間３４、３５を区画する隔壁３６と、隔壁３６に設けられた突起挿入口３７と、突起３８が設けられ一端部が回転支点３９で回転自在に枢着されるレバー４０と、ロック爪７が係合する係合部４１とが設けられている。また、突起挿入口３７の幅（本体ケース３３底面からの高さ）はレバー４０の幅よりも小さく形成されている。なお、ロック手段３１を構成する係合部４１は図示のように本体ケース３３と一体でなく別体に構成することもできる。
【００２０】
図７において、本体ケース３３はアルミダイカストや強化プラスチックなどで片面が開口された鞘型につくられている。本体ケース３３には前面にロック爪７が挿入される方形状のロック爪挿入口８が設けられ、隔壁３６によって前部室と後部室に区画されている。前部室はロック爪挿入口８に連通するロック爪挿入空間３５となっており、後部室はマイクロスイッチ３２が配置されるスイッチ配置空間３４となっている。また、ロック爪７に係合する係合部４１は、図８に示すように、ロック爪挿入口８の背面、すなわちロック爪挿入空間３５の前部に形成されている。
【００２１】
図７に示す４２はカバーであり、配線済みのマイクロスイッチ３２（但し、配線は図示省略）およびレバー４０を組み立てた後に本体ケース３３にカバー４２を固定し、カバー４２と本体ケース３３との間に配線済みのマイクロスイッチ３２およびレバー４０を保持するようになっている。マイクロスイッチ３２はスイッチレバー４３が隔壁３６の突起挿入口３７に対面するようにセットされる。また、マイクロスイッチ３２はここではコネクタを介して配線されるようになっており、配線は本体ケース３３の外部に引き出される。また、本体ケース３３にはマイクロスイッチ３２を保持するための突起軸や軸嵌合部、レバー４０の回転支点３９となる突起軸の嵌合部等が設けられている。カバー４２にも同様の嵌合部や孔が設けられている。
なお、図８、図９はカバー４２を取り外した状態を示している。
【００２２】
次に動作について説明する。まず、食器洗浄装置の基本的な動作について概略説明する。
【００２３】
食器洗浄機の動作は、一般的に食器類の洗浄工程、すすぎ工程、乾燥工程の順に実行される。
洗浄工程では、給水手段（図示せず）により水を洗浄槽２内に一定量給水し、さらに食器類の汚れを分解して落とすための洗剤を洗浄槽２内に入れる。洗浄水はシーズヒータ等の発熱体で一定温度に昇温される。この洗浄水を洗浄ポンプ（図示せず）により吸い込んで、洗浄ノズル（図示せず）へ送水し、洗浄ノズルの孔より食器類へめがけて噴射することにより食器類の汚れを洗い落とす。噴射した洗浄水は洗浄槽２の中に落下して戻り、再び洗浄ポンプに吸い込まれて洗浄水を循環しながら噴射を繰り返す。一定時間洗浄ポンプを稼働した後、洗浄槽２の内部の水は、排水口（図示せず）より外部の下水などへ排水される。
【００２４】
すすぎ工程は、食器類に付着した洗剤や汚水をすすぎ洗いする目的で行うものであり、洗い動作それ自体は洗浄工程と変わらない。すすぎ工程では、洗剤を入れた上記の洗浄水を洗浄槽２から全部排水した後、きれいな水を給水してその水を洗浄ノズルより噴射することにより食器類をすすぎ洗いする。
この水の給水→一定時間の循環噴射→排水を通常２〜４回程度行うことで食器類の洗浄と、すすぎが行われる。
【００２５】
そして、最後に送風機（図示せず）により温風あるいは室温の風を食器類に当てて食器類を乾燥する。乾燥用空気は洗浄槽２の天井部に設けられた排気孔（図示せず）より外部へ排気される。
【００２６】
次に、扉の連動開閉機構１０の動作について、主に図６を参照して説明する。
まず、上扉４、下扉５が図６（ａ）のように閉じた状態から、図６（ｂ）のように下扉５を開く。下扉５は、扉ロック解除ボタン６を押すことによりロック爪７のロックが解除されるので、下方へ回転して開くことができる。すなわち、下扉５は回転支点１３を中心に矢印５１の方向に回転し、これに伴い下扉５と一体に形成された下扉アーム１４も回転支点１３を中心に上方へ回転する。下扉アーム１４が上方へ回転すると、下扉アーム１４に連結された第１のリンク１１が矢印５２で示す上方へ押し上げられる。これによって、第１のリンク１１に連結された第２のリンク１２が支点１７を中心に矢印５３で示す上方へ回転する。
【００２７】
さらに、第２のリンク１２が上方へ回転することにより、上扉４と一体に形成された上扉支持アーム１８が支点１９で第２のリンク１２に連結されているので、上扉支持アーム１８と第２のリンク１２とのなす角度θ１が図６（ｂ）に示すように角度θ２になるまで上扉支持アーム１８は支点１９を中心に矢印５４で示す下方へ回転する。なお、上扉支持アーム１８と第２のリンク１２はストッパ２０により角度θ２以上の回転が生じないように保持される。
【００２８】
すなわち、上扉支持アーム１８と第２のリンク１２とのなす角度は、上扉４、下扉５を完全に閉じた状態（図６（ａ））のときの角度θ１よりも、上扉４、下扉５が少し開いた状態（図６（ｂ））のときの角度θ２の方が若干大きくなる。このように、上扉アーム１８と第２のリンク１２とのなす角度が増加することで、上扉４は、図６（ｂ）、（ｄ）のように、開口面２２に対してほぼ垂直の方向（矢印５５）に移動して開離する。そのため、上扉４の上辺部に設けられた凸状部２４が洗浄槽天井部２１の前面（開口部３の上辺部）に設けられた凹状部２３より開離する。これによって、凸状部２４と凹状部２３との嵌合が外れる。
【００２９】
下扉５がさらに回転が進むと、第２のリンク１２が第１のリンク１１により押し上げられるため、図６（ｃ）に示すように、上扉支持アーム１８と第２のリンク１２は角度θ２を保持しつつ一体的に支点１７を中心に矢印５６で示す上方へ大きく回転する。これにより、上扉４は食器洗浄機本体１の天板部上に回転して位置することになり、下扉５は下方へほぼ９０゜回転して開くことになる。
下扉５を閉じるときは上記と逆の動作となる。
【００３０】
この連動開閉機構１０は、上述のように、下扉５の開閉動作に連動する第１のリンク１１に第２のリンク１２を連結し、さらにこの第２のリンク１２に上扉アーム１８を連結する構成となっているので、上扉４の開閉動作の軌道は、開口面２２に対してほぼ垂直な方向に移動する第１の移動成分（矢印３５で示す成分）と、ついで開口面２２にほぼ平行な方向に移動する第２の移動成分（矢印５６で示す成分）とを有する。この第１の移動成分により、開口面２２にほぼ垂直方向の移動距離を大きくとることができるので、上扉４と洗浄槽２とのシール構造（シール部２５）を、例えばラビリンス状に深い溝を持つ凹状部２３と凸状部２４により構成することができる。
【００３１】
したがって、扉閉鎖時、凹状部２３と凸状部２４とを嵌合させて上扉４を閉鎖することにより、洗浄槽２内の食器類などに衝突して飛散する水が、たとえこれらの凹状部２３と凸状部２４とからなるシール部２５に直撃しても、凹状部２３と凸状部２４間の隙間で水の勢いが減殺されるため、この隙間から水が天板上に滲み出るようなことはない。
よって、上扉４と洗浄槽２間の水密性、特に開口部３の上辺部における水密性を大幅に向上させることができる。
【００３２】
また、開口面２２に対する垂直方向の移動距離が大きいことから、ゴムからなるシール部材（図示せず）を十分に押し付けることができるため、上記シール部２５をこのようなシール部材で構成するだけでも十分な水密性を発揮させることができる。
さらに、上記シール部材を凹状部２３の中に装着することにより、シール部２５を構成した場合には、更なる水密性の向上が実現できる。
【００３３】
また、上に例示したシール部２５の構成によれば、洗浄槽２の天井部２１すなわち食器洗浄機本体１の天板部の厚さをより薄くすることも可能であるので、洗浄槽２の容積を大きくできるほか、食器洗浄機の小型・軽量化、コスト低減など波及効果が大きいものである。
【００３４】
次に、扉開閉検知装置３０の動作について、図８、図９を参照して説明する。
【００３５】
まず、ロック手段３１のロック爪７が、図８（ａ）、図９（ａ）に示すように、ロック動作に関連して本体ケース３３のロック爪挿入口８からロック爪挿入空間３５内に挿入すると、ロック爪７の先端でレバー４０を押し、レバー４０は回転支点３９を中心に図８（ｂ）、図９（ｂ）に示すように隔壁３６の方向に回転する。レバー４０が回転すると、レバー４０の背面に設けられた突起３８が隔壁３６の突起挿入口３７より挿入し、この突起３８によって隔壁３６の後部室、すなわちスイッチ配置空間３４に配置されたマイクロスイッチ３２のスイッチレバー４３を押す。スイッチレバー４３は回転支点４４を中心に回転し、これによって、マイクロスイッチ３２のスイッチ押し部４５が押し下げられてスイッチオンの状態（図８（ｃ）、図９（ｃ）の実線で示す状態）となる。同時に、ロック爪７の引っ掛け部が係合部４１に係合し、上扉４および下扉５が完全に閉鎖した状態となる。すなわち、このときのマイクロスイッチ３２のスイッチオン信号により、扉体（上扉４および下扉５）の閉鎖状態が検知される。逆に、スイッチオフ信号により、扉体の開放状態または不完全閉鎖状態（この例では、下扉５の不完全閉鎖状態）を検知することができる。
【００３６】
ロック爪７が係合部４１から外れてロック手段３１が解除されると、レバー４０は自重およびマイクロスイッチ３２に内蔵されたばね（（図示せず）の力により元の状態（図８（ｃ）、図９（ｃ）の点線で示す状態）に復帰する。このときは上記のようにスイッチオフ信号により、扉体の開放状態または不完全閉鎖状態を検知することができる。
【００３７】
以上のように、この食器洗浄機の扉開閉検知装置３０では、マイクロスイッチ３２（スイッチ手段）を配置する空間３４とロック爪７が挿入する空間３５とを隔壁３６により区画し、この隔壁３６に突起挿入口３７を設けるとともに、扉体の閉鎖時、突起挿入口３７に挿入される突起３８を設けたレバー４０をロック爪７により押し、これにより、レバー４０の突起３８が隔壁３６の突起挿入口３７を通してマイクロスイッチ３２を作動させるように構成したので、扉体の開放時、たとえ食器や手に付いた水がロック爪挿入口８より本体ケース３３内部に侵入しても、隔壁３６に遮られてマイクロスイッチ３２が配置された空間３４まで水が入ることはない。したがって、マイクロスイッチ３２に水がかかることはなく、マイクロスイッチ３２の誤検知がなくなり、扉開閉検知装置３０の信頼性が著しく向上することになる。
【００３８】
また、本体ケース３３の中に、隔壁３６を間にして前部室にレバー４０を、後部室にマイクロスイッチ３２を配置することにより、スイッチレバー４３とレバー４０を近接することができるので、扉開閉検知装置３０の機構部をコンパクトに構成することができる。
【００３９】
また、突起挿入口３７を有する隔壁３６の前面側にはレバー４０が回転自在に配置されており、さらに突起挿入口３７の幅（本体ケース３３の底面からの高さ）はレバー４０の幅よりも小さくなっているため、ロック爪挿入空間３５に侵入した水が突起挿入口３７を通じてスイッチ配置空間３４まで侵入することは全くない。
よって、扉開閉検知装置３０のスイッチ部への水の侵入を防ぎ、信頼性の高い扉開閉検知装置３０が得られている。
【００４０】
実施の形態２．
図１０は本発明の実施の形態２を示す食器洗浄機の扉開閉検知装置の動作説明図で、図８に対応するものである。
【００４１】
この実施の形態２における扉開閉検知装置３０は、隔壁３６とレバー４０との間に復帰ばね４６（弾性部材の一例）を介在させたもので、その他の構成は実施の形態１と同じである。したがって、同じ構成部品または相当部分には同一符号を付して説明は省略する。
【００４２】
隔壁３６とレバー４０との間に復帰ばね４６を設けることにより、レバー４０を、扉体の開放時、より確実に元の状態に戻すことができる。
【００４３】
以上の実施の形態では主に食器洗浄機の扉開閉検知装置３０について説明したが、本発明の扉開閉検知装置は食器洗浄機に限られるものでないことはいうまでもない。例えば、電気洗濯機の洗濯槽の蓋、電気衣類乾燥機の扉などにも本発明の扉開閉検知装置を利用することが可能である。したがって、扉開閉検知装置の「扉」は、開口部を開閉する扉体だけでなく、物体に開閉自在に設けられる蓋体をも含むものと解すべきである。
【図面の簡単な説明】
【００４４】
【図１】本発明の実施の形態１を示す食器洗浄機の扉閉鎖状態の外観斜視図である。
【図２】実施の形態１における食器洗浄機の扉開放状態の外観斜視図である。
【図３】実施の形態１における食器洗浄機の右側面図である。
【図４】実施の形態１における扉の連動開閉機構を示す右側面の内部構造図で、（ａ）は扉閉鎖時、（ｂ）は扉開放時の状態を示す構造図である。
【図５】実施の形態１における扉と連動開閉機構の動作説明図で、（ａ）は扉閉鎖時の動作説明図、（ｂ）は上扉および下扉の開放途中状態を示す動作説明図である。
【図６】実施の形態１における扉の連動開閉機構の動作を模式的にあらわした動作説明図である。
【図７】実施の形態１における扉開閉検知装置の主な構成部品の分解斜視図および組立図である。
【図８】実施の形態１における扉開閉検知装置の動作を示す説明図である。
【図９】実施の形態１における扉開閉検知装置の主要部品の動作を示す拡大図である。
【図１０】本発明の実施の形態２を示す食器洗浄機の扉開閉検知装置の動作説明図である。
【符号の説明】
【００４５】
１  食器洗浄機本体、２  洗浄槽、３  開口部、４  上扉、５  下扉、６  扉ロック解除ボタン、７  ロック爪（ロック手段）、８  ロック爪挿入口、９  外カバー、１０  連動開閉機構、１１  第１のリンク、１２  第２のリンク、１３  回転支点、１４  下扉アーム、１５  支点、１６  支点、１７  支点、１８  上扉支持アーム、１９  支点、２０  ストッパ、２１  洗浄槽天井部、２２  開口面、２３  凹状部、２４  凸状部、２５  シール部、３０  扉開閉検知装置、３１  ロック手段、３２  マイクロスイッチ（スイッチ手段）、３３  本体ケース、３４  スイッチ配置空間、３５  ロック爪挿入空間、３６  隔壁、３７  突起挿入口、３８  突起、３９  回転支点、４０  レバー、４１  係合部（ロック手段）、４２  カバー、４３  スイッチレバー、４４  スイッチレバーの回転支点、４５  スイッチ押し部、４６  復帰ばね（弾性部材）。
【図１】
2006263174.tif 000003
【図２】
2006263174.tif 000004
【図３】
2006263174.tif 000005
【図４】
2006263174.tif 000006
【図５】
2006263174.tif 000007
【図６】
2006263174.tif 000008
【図７】
2006263174.tif 000009
【図８】
2006263174.tif 000010
【図９】
2006263174.tif 000011
【図１０】
2006263174.tif 000012